【事件の表示】
　上記当事者間の登録第４６４５６３０号商標の商標登録無効審判事件について、次のとおり審決する。
【結　論】
　登録第４６４５６３０号の登録を無効とする。
　審判費用は被請求人の負担とする。
【理　由】
１　本件商標
　本件登録第４６４５６３０号商標（以下「本件商標」という。）は、「ＯＫＥＮ　ＳＥＩＫＯ」の文字を標準文字で書してなり、平成１４年４月２６日に登録出願、第７類「風水力機械器具，動力伝導装置，バルブ，起動器，交流電動機および直流電動機（陸上の乗物用のものを除く。），交流発電機，直流発電機」を指定商品として、同１５年２月２１日に設定登録されたものである。
　
２　請求人の引用する商標
　請求人が本件商標の登録無効の理由に引用する登録商標は、以下のとおりであり、いずれも現に有効に存続しているものである。
（１）登録第１７５８４０号商標は、「ＳＥＩＫＯ」の文字を横書きしてなり、大正１４年１月１９日に登録出願、第２１類「時計並其各部及附属品」を指定商品として、同１４年１２月２日に設定登録され、平成１８年４月１２日に指定商品を第１４類「時計」とする指定商品の書換登録がされたものである。
（２）登録第１８３６４０１号商標は、「ＳＥＩＫＯ」の文字を横書きしてなり、昭和５７年７月２日に登録出願、第１１類「電子応用機械器具（医療機械器具に属するものを除く）その他本類に属する商品」を指定商品として、同６１年１月２４日に設定登録され、平成１８年４月１９日に指定商品を第７類「起動器，交流電動機及び直流電動機（陸上の乗物用の交流電動機及び直流電動機（その部品を除く。）を除く。），交流発電機，直流発電機，家庭用食器洗浄機，家庭用電気式ワックス磨き機，家庭用電気洗濯機，家庭用電気掃除機，電気ミキサー，電機ブラシ」、第８類「電気かみそり及び電気バリカン」、第９類「配電用又は制御用の機械器具，回転変流機，調相機，電池，電気磁気測定器，電線及びケーブル，電気アイロン，電気式ヘアカーラー，電気ブザー，電気通信機械器具，電子応用機械器具及びその部品，磁心，抵抗線，電極」、第１０類「家庭用電気マッサージ器」、第１１類「電球類及び照明用器具，家庭用電熱用品類」、第１２類「陸上の乗物用の交流電動機又は直流電動機（その部品を除く。）」、第１７類「電気絶縁材料」及び第２１類「電気式歯ブラシ」とする指定商品の書換登録がされたものである。
（３）登録第１９４６０４５号商標は、「ＳＥＩＫＯ」の文字を横書きしてなり、昭和５９年３月２日に登録出願、第９類「産業機械器具（ミシンを除く）動力機械器具（電動機を除く）風水力機械器具、事務用機械器具（電子応用機械器具に属するものを除く）その他の機械器具で他の類に属しないもの、これらの部品および附属品（他の類に属するものを除く）機械要素」を指定商品として、同６２年４月３０日に設定登録されているものである。
　以下、まとめて「引用商標」という。
　
３　請求人の主張
　請求人は、結論同旨の審決を求め、その理由を要旨次のように述べ、証拠方法として甲第１号証ないし甲第２０号証を提出した。
（１）請求の利益について
　（２）で述べるとおり、本件商標がその指定商品に使用された場合、請求人が「時計」及び「ゴルフクラブ、シェーバー、眼鏡、宝飾品、計測器、液晶テレビ、電子辞書、携帯情報端末、コンピュータ、その周辺機器、ＣＡＥ／ＣＡＤ／ＣＡＭシステム、電子部品、分析・計測機器、プリンター、半導体・液晶表示」等について使用する商標「ＳＥＩＫＯ」に化体した業務上の信用が侵されることは明らかであるから、請求人は本件審判を請求することについて利害関係を有するものである。
（２）無効理由について
（ア）本件商標に係る異議の決定謄本（異議２００３−９０２７５）の写し、甲第２０号証においてした異議の判断は誤っており、そのため本件商標の登録を維持するとした異議の決定は取消されるべきである。
　「ＳＥＩＫＯ」の文字が、「精巧に工作すること」、「精密工業」を意味するとする記事掲載を辞典・辞書等には見出すことができない。
　異議２００３−９０３７７（甲第１９号証）の「異議の決定」において、「結論　登録第４６５８３６８号商標「ＯＫＥＮＳＥＩＫＯ」の商標登録を取り消す。」との決定が存する。
　「ＳＥＩＫＯ」の文字は、（イ）で明確に請求人会社及び請求人のグループ会社の取扱いに係る商品あるいは請求人会社の商号の略称を表示するものである。
（イ）引用商標の著名性について
　請求人は、１８８１年（明治１４年）創業し、１８９５年（明治２８年）に「精工舎（現セイコー株式会社）」を設立して、時計等の販売業務、輸出業務を開始して以来、その販売網は国内を始め世界１００カ国以上に及び、商標として永年に亘るテレビ、新聞、雑誌等の広告、宣伝及びオリンピック大会その他の主な国際競技大会（陸上競技・水泳競技）の公式時計やセイコースーパーテニスの開催等の結果、日本のみならず世界の各国の取引者・需要者間において周知・著名となっているものである。
　また、１９２４年（大正１３年）に製造・販売に係る時計類の名称に「ＳＥＩＫＯ」「セイコー」の商標を使用開始後に、「ＳＥＩＫＯ」を商標登録出願し、１９２５年（大正１４年）１２月２日に設定登録を受け、登録商標の下に各種時計、眼鏡、計測器、電子辞書等の製造・販売を今日まで行っている（甲第２号証）。
　請求人会社は、１９４９年（昭和２４年）に、東京証券取引所に上場し、「時計」をはじめとする自己の事業に関連する分野に進出して、多角経営やライセンス事業を行い、「時計類」などの商品については、国内を始め世界１００カ国以上に及ぶ販売網をもち、また、そのグループ会社で製造された、「眼鏡、電気シェーバー、宝飾品、ゴルフクラブ、プリンタ、コピー機器、情報関連機器、スポーツ・レジャー用品、音響機器」などの商品の販売及び不動産業などの役務に関連する事業を行っているものである（甲第５号証）。
　日本有名商標録に、「ＳＥＩＫＯ」が掲載されている（甲第６号証）。
　企業ブランドランキングに、「ＳＥＩＫＯ」が掲載されている（甲第８号証）。
　最高裁平成３年（行ツ）第１０３号の判決においても「〜「ＳＥＩＫＯ」の部分は、わが国における著名な時計等の製造販売業者である株式会社服部セイコーの取扱商品ないし商号の略称を表示するものであることは原審の適法に確定するところである。」と記述され、最高裁判所において著名性を認めている（甲第７号証）。
　特許庁の審決・異議申立の決定等においても、「ＳＥＩＫＯ」の著名性は認めている。審決例の一つをみても、「「ＳＥＩＫＯ」は請求人会社の商号の略称として及び同社の取扱いに係る商品全般に亘って使用する代表的出所標識（ハウスマーク）として、これまた世人一般に知られているものであることは当庁においても顕著な事実である。」と記述されている。
　すなわち、「ＳＥＩＫＯ」の商標は、自己の取扱いに係る商品全部に統一的に使用されている「ハウスマーク」であることが明確に示されたものである。
　上記によれば、「ＳＥＩＫＯ」の文字は、請求人会社及び請求人のグループ会社の取扱いに係る商品あるいは請求人会社の商号の略称を表示するものとして、著名性を獲得しているものであることは明らかである。
（ウ）商標法第４条第１項第１５号について
　本件商標の構成態様について
　本件商標は、「ＯＫＥＮ　ＳＥＩＫＯ」の欧文字を横書きにしてなるものであり、該構成文字は、全体として特定の意味合いを有するものとして一般に知られ、親しまれたものとはみられないものであって、「ＯＫＥＮ」と「ＳＥＩＫＯ」の２語よりなるものとして把握し、認識されるものである。
　商標権者においても、甲第９号証の２００３企業ガイドからも明らかなように「ＯＫＥＮ」の文字と図形との結合商標を使用している事実が存する。
　そうとすれば、本件商標の指定商品の分野において、請求人のハウスマークとして、また、請求人及び請求人のグループ会社の業務に係る商品を示す商標として、本件商標の登録出願時には、著名であったことからすれば、本件商標に接する者は、構成中の「ＳＥＩＫＯ」の文字に惹きつけられ、「ＳＥＩＫＯ」の文字部分に着目して、請求人の「ＳＥＩＫＯ」のハウスマークあるいは引用商標を連想するのが自然である。本件商標をその指定商品に使用すれば、その商品が請求人又は請求人と組織的・経済的に密接な関係がある者の業務に係る商品であるかのように、その出所について混同を生じさせるおそれがあるものといわなければならない。
（エ）商標法第４条第１項第１１号について
　（ウ）で述べたとおり、本件商標は、「ＯＫＥＮ　ＳＥＩＫＯ」の欧文字を横書きにしてなるものであり、該構成文字は、全体として特定の意味合いを有するものとして一般に知られ、親しまれたものとはみられないものであって、「ＯＫＥＮ」と「ＳＥＩＫＯ」の２語よりなるものとして把握し、認識されるものである。
　また、他人の著名商標を一部に有するものであり、かつ、他人の著名な登録商標と配列を同じくする類似のものであって、当該商標登録に係る指定商品と同一又は類似の商品に使用するものである。
　そうとすれば、本件商標構成中の「ＳＥＩＫＯ」の文字より、「セイコー」の称呼をも生ずるものであるから、引用商標の「ＳＥＩＫＯ」の文字より生ずる「セイコー」の称呼とは、「セイコー」の称呼を共通にする類似の商標である。
（オ）商標法第４条第１項第１９号について
　商標権者においては、甲第９号証からも明らかなように、「ＯＫＥＮ」の文字と図形を結合させた商標を使用しているにもかかわらず、「ＳＥＩＫＯ」の商標が請求人のハウスマークであり、請求人及び請求人のグループ会社の業務に係る商品に使用している事実を知りながら、登録出願をしたのは、出所表示機能を希釈化させたり、その名声等を毀損させる目的をもって出願したものと推認するものである。
（３）むすび
　以上のとおり、本件商標の登録は、商標法第４条第１項第１１号、同１５号及び同１９号に違反してなされたものであるから、無効とされるべきである。
　
４　被請求人の答弁
　被請求人は、請求人の上記主張に対し何ら答弁していない。
　
５　当審の判断
　請求人の提出に係る各甲号証によれば、請求人は、１８８１年（明治１４年）創業、１８９２年（明治２５年）に「精工舎（現セイコー株式会社）」を設立し、時計類の製造、販売等を開始して以来、引用商標を使用して、永年に亘るテレビ、新聞、雑誌等の広告、宣伝及びオリンピック大会その他の国際競技大会（陸上競技・水泳競技）の公式時計やセイコースーパーテニスの開催等を行った結果、引用商標は、時計等について使用する商標として、日本のみならず世界各国の取引者・需要者間において周知著名となっているものと認められる。また、請求人は、時計のみならず、「眼鏡、電気シェーバー、宝飾品、ゴルフクラブ、プリンタ、コピー機器、情報関連機器、スポーツ・レジャー用品、音響機器」等について様々な事業展開を行っていることが認められる。
　しかして、本件商標は、上記のとおりの構成からなるところ、不可分一体の既成観念を表す語として一般に知られ親しまれているとはいい難いものであるから、「ＯＫＥＮ」と「ＳＥＩＫＯ」の二語を結合したものとして把握し認識される場合も少なくないというべきである。しかも、本件商標の指定商品は、引用商標が使用されている商品とは機械分野という点において少なからぬ関係にあるものといえる。
　かかる事情において、本件商標をその指定商品に使用した場合、これに接する取引者、需要者は、その構成中の「ＳＥＩＫＯ」の文字部分に着目して、周知著名となっている引用商標を連想、想起し、該商品が請求人又は同人と経済的、組織的に何らかの関係を有する者の業務に係る商品であるかの如く、商品の出所について混同するおそれがあるというのが相当である。
　したがって、本件商標の登録は、商標法第４条第１項第１１号及び同第１９号について検討するまでもなく、商標法第４条第１項第１５号に違反してされたものであるから、同法第４６条第１項の規定により、無効とすべきである。
　よって、結論のとおり審決する。